【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
筐体に収納または引き出し自在に設けられたトレイと、前記トレイに係止させることにより前記トレイとの間に位置する構成部品を保護するトレイカバーと、を備え、
前記トレイカバーは前記トレイと接触する面に凸部を有し、
前記凸部は、前記トレイに向かって圧着されることにより前記トレイ上に凹部を形成し、
前記凹部が、前記凹部を形成する際の圧着力を利用して前記凸部と係合し続けることにより、前記トレイカバーと前記トレイとを係止することを特徴とする光ディスク装置。
【請求項２】
前記トレイカバーと前記トレイとの係止は螺旋により行われ、前記螺旋と前記トレイとで前記凸部を挟み込むように構成したことを特徴とする請求項１記載の光ディスク装置。
【請求項３】
筐体に収納または引き出し自在に設けられたトレイと、前記トレイに係止させることにより前記トレイとの間に位置する構成部品を保護するトレイカバーと、を備え、
前記トレイカバーは前記トレイと接触する面に凸部を有し、
前記凸部は、前記トレイカバーを前記トレイに螺旋で係止させる際に、前記トレイに向かって圧着されることにより凹部を形成し、
前記螺旋と前記トレイとで前記凸部と前記凹部を挟み込むように構成することにより、前記凸部と前記凹部とで前記トレイカバーと前記トレイとを係止することを特徴とする光ディスク装置。
【請求項４】
筐体に収納または引き出し自在に設けられたトレイと、前記トレイに係止させることにより前記トレイとの間に位置する構成部品を保護するトレイカバーと、を備えた光ディスク装置の製造方法であって、
前記トレイカバーに設けられた凸部を前記トレイに向かって圧着させることにより凹部を形成し、
前記凹部が、前記凹部を形成する際の圧着力を利用して前記凸部と係合し続けることにより、前記トレイカバーと前記トレイとを係止することを特徴とする光ディスク装置の製造方法。
【手続補正２】
【補正対象書類名】明細書
【補正対象項目名】００１５
【補正方法】変更
【補正の内容】
【００１５】
本発明は、上記課題を解決するためになされたものであって、筐体に収納または引き出し自在に設けられたトレイと、トレイに係止させることによりトレイとの間に位置する構成部品を保護するトレイカバーと、を備え、トレイカバーはトレイと接触する面に凸部を有し、その凸部が、トレイに向かって圧着されることによりトレイ上に凹部を形成し、形成された凹部が、凹部を形成する際の圧着力を利用して凸部と係合し続けることにより、トレイカバーとトレイとを係止することを特徴とするものである。
【手続補正３】
【補正対象書類名】明細書
【補正対象項目名】００１６
【補正方法】変更
【補正の内容】
【００１６】
本発明は上記構成によって、トレイカバーに設けられた凸部と、トレイに形成された凹部が係合することでトレイカバーとトレイとを係止することにより、トレイカバーとトレイとの接触面同士の横滑りを防ぐので、トレイカバーとトレイとの嵌合ずれを無くし、トレイカバーとトレイとの位置関係を強固に保つことができる。その結果、トレイカバーとトレイとの位置関係を強固に保つので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、トレイが筐体内に収納困難になることを抑制することが可能な光ディスク装置を実現することができる。
また、トレイカバーはトレイと接触する面に凸部を有し、その凸部が、トレイに向かって圧着されトレイ上に凹部を形成することにより、凸部と凹部とを係合させてトレイカバーとトレイとを係止するにもかかわらず、凸部のみを予め準備するだけで済むので、トレイの製造にかかる時間を維持でき、且つ予め準備した凸部と予め準備した凹部とを嵌合させる際の嵌合精度を気にする必要が無いので、光ディスク装置の製造時間を維持しつつトレイカバーとトレイとの嵌合力を高めることができる。その結果、光ディスク装置の製造時間を維持しつつトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置を実現することができる。
さらに、凹部が、凹部を形成する際の圧着力を利用して凸部と係合し続けることでトレイカバーとトレイとを係止することにより、嵌合力強化に必要な凸部に対応する凹部の形成と、凸部と凹部の係合とを共通の作業で行うので、光ディスク装置の製造時間を維持しつつ効率良くトレイカバーとトレイとの嵌合力を高めることができる。その結果、光ディスク装置の製造時間を維持しつつ効率良くトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置を実現することができる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
請求項１記載の発明は、筐体に収納または引き出し自在に設けられたトレイと、トレイに係止させることによりトレイとの間に位置する構成部品を保護するトレイカバーと、を備え、トレイカバーはトレイと接触する面に凸部を有し、その凸部が、トレイに向かって圧着されることによりトレイ上に凹部を形成し、形成された凹部が、凹部を形成する際の圧着力を利用して凸部と係合し続けることにより、トレイカバーとトレイとを係止することを特徴とするものである。トレイカバーに設けられた凸部と、トレイに形成された凹部が係合することでトレイカバーとトレイとを係止することにより、トレイカバーとトレイとの接触面同士の横滑りを防ぐので、トレイカバーとトレイとの嵌合ずれを無くし、トレイカバーとトレイとの位置関係を強固に保つことができる。その結果、トレイカバーとトレイとの位置関係を強固に保つので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、トレイが筐体内に収納困難になることを抑制することが可能な光ディスク装置を実現することができる。また、トレイカバーはトレイと接触する面に凸部を有し、その凸部が、トレイに向かって圧着されトレイ上に凹部を形成することにより、凸部と凹部とを係合させてトレイカバーとトレイとを係止するにもかかわらず、凸部のみを予め準備するだけで済むので、トレイの製造にかかる時間を維持でき、且つ予め準備した凸部と予め準備した凹部とを嵌合させる際の嵌合精度を気にする必要が無いので、光ディスク装置の製造時間を維持しつつトレイカバーとトレイとの嵌合力を高めることができる。その結果、光ディスク装置の製造時間を維持しつつトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置を実現することができる。さらに、凹部が、凹部を形成する際の圧着力を利用して凸部と係合し続けることでトレイカバーとトレイとを係止することにより、嵌合力強化に必要な凸部に対応する凹部の形成と、凸部と凹部の係合とを共通の作業で行うので、光ディスク装置の製造時間を維持しつつ効率良くトレイカバーとトレイとの嵌合力を高めることができる。その結果、光ディスク装置の製造時間を維持しつつ効率良くトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置を実現することができる。
【手続補正６】
【補正対象書類名】明細書
【補正対象項目名】００１９
【補正方法】変更
【補正の内容】
【００１９】
請求項２記載の発明は、トレイカバーとトレイとの係止が螺旋により行われ、螺旋とトレイとで凸部を挟み込むように構成したことを特徴とするものである。トレイカバーとトレイとの係止が螺旋により行われ、螺旋とトレイとで凸部を挟み込むように構成することにより、凸部により凹部を形成する際に、容易に力を加えることができ、且つトレイカバーとトレイとの嵌合を強固なものにするので、トレイとトレイカバーの位置関係を確実に維持することができ、光ディスク面周方向の嵌合ずれを防ぐことができる。その結果、トレイとトレイカバーの位置関係を確実に維持することができ、光ディスク面周方向の嵌合ずれを防ぐので、構成材料の厚みを薄くしたり、軽量材料を使用したりする薄型または軽量の光ディスク装置であっても、外部荷重が加わった際に発生するトレイとトレイカバーの嵌合ずれに起因するトレイとトレイカバーの変形を防止することができ、トレイが筐体内に収納困難となることを抑制することができる。
【手続補正７】
【補正対象書類名】明細書
【補正対象項目名】００２０
【補正方法】変更
【補正の内容】
【００２０】
請求項３記載の発明は、筐体に収納または引き出し自在に設けられたトレイと、トレイに係止させることによりトレイとの間に位置する構成部品を保護するトレイカバーと、を備え、トレイカバーはトレイと接触する面に凸部を有し、凸部が、トレイカバーをトレイに螺旋で係止させる際に、トレイに向かって圧着されることにより凹部を形成し、螺旋とトレイとで凸部と凹部を挟み込むように構成することにより、凸部と凹部とでトレイカバーとトレイとを係止することを特徴とするものである。トレイカバーに設けられた凸部と、トレイに形成された凹部が係合することでトレイカバーとトレイとを係止することにより、トレイカバーとトレイとの接触面同士の横滑りを防ぐので、トレイカバーとトレイとの嵌合ずれを無くし、トレイカバーとトレイとの位置関係を強固に保つことができる。その結果、トレイカバーとトレイとの位置関係を強固に保つので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、トレイが筐体内に収納困難になることを抑制することが可能な光ディスク装置を実現することができる。また、トレイカバーはトレイと接触する面に凸部を有し、その凸部が、トレイカバーをトレイに螺旋で係止させる際に、トレイに向かって圧着されることにより凹部を形成することにより、凸部と凹部とを係合させてトレイカバーとトレイとを係止するにもかかわらず、凸部のみを予め準備するだけで済むので、トレイの製造にかかる時間を維持でき、且つ予め準備した凸部と予め準備した凹部とを嵌合させる際の嵌合精度を気にする必要が無いので、光ディスク装置の製造時間を維持しつつトレイカバーとトレイとの嵌合力を高めることができる。さらに、トレイカバーとトレイとの係止が螺旋により行われ、螺旋とトレイとで凸部と凹部とを挟み込むように構成することにより、凸部により凹部を形成する際に、容易に力を加えることができ、且つトレイカバーとトレイとの嵌合を強固なものにできるので、トレイとトレイカバーの位置関係を確実に維持することができ、光ディスク面周方向の嵌合ずれを防ぐことができる。その結果、トレイとトレイカバーの位置関係を確実に維持することができ、光ディスク面周方向の嵌合ずれを防ぐので、構成材料の厚みを薄くしたり、軽量材料を使用したりする薄型または軽量の光ディスク装置であっても、外部荷重が加わった際に発生するトレイとトレイカバーの嵌合ずれに起因するトレイとトレイカバーの変形を防止することができ、トレイが筐体内に収納困難となることを抑制することができる。さらにまた、凹部は、トレイカバーをトレイに螺旋で係止させる際の圧着力を利用して凸部と係合し続け、トレイカバーとトレイとを嵌合することにより、嵌合力強化に必要な凸部に対応する凹部の形成と、凸部と凹部の係合とを共通の作業で行うので、光ディスク装置の製造時間を維持しつつ効率良くトレイカバーとトレイとの嵌合力を高めることができる。その結果、光ディスク装置の製造時間を維持しつつ効率良くトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置を実現することができる。
【手続補正８】
【補正対象書類名】明細書
【補正対象項目名】００２１
【補正方法】変更
【補正の内容】
【００２１】
請求項４記載の発明は、筐体に収納または引き出し自在に設けられたトレイと、トレイに係止させることによりトレイとの間に位置する構成部品を保護するトレイカバーと、を備えた光ディスク装置の製造方法であって、トレイカバーに設けられた凸部をトレイに向かって圧着させることにより凹部を形成し、凹部が、凹部を形成する際の圧着力を利用して凸部と係合し続けることにより、トレイカバーとトレイとを係止することを特徴とするものである。トレイカバーに設けられた凸部と、トレイに形成された凹部が係合することでトレイカバーとトレイとを係止することにより、トレイカバーとトレイとの接触面同士の横滑りを防ぐので、トレイカバーとトレイとの嵌合ずれを無くし、トレイカバーとトレイとの位置関係を強固に保つことができる。その結果、トレイカバーとトレイとの位置関係を強固に保つので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、トレイが筐体内に収納困難になることを抑制することが可能な光ディスク装置の製造方法を実現することができる。また、トレイカバーはトレイと接触する面に凸部を有し、その凸部が、トレイに向かって圧着されトレイ上に凹部を形成することにより、凸部と凹部とを係合させてトレイカバーとトレイとを係止するにもかかわらず、凸部のみを予め準備するだけで済むので、トレイの製造にかかる時間を維持でき、且つ予め準備した凸部と予め準備した凹部とを嵌合させる際の嵌合精度を気にする必要が無いので、光ディスク装置の製造時間を維持しつつトレイカバーとトレイとの嵌合力を高めることができる。その結果、光ディスク装置の製造時間を維持しつつトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置の製造方法を実現することができる。さらに、凹部が、凹部を形成する際の圧着力を利用して凸部と係合し続けることでトレイカバーとトレイとを係止させることにより、嵌合力強化に必要な凸部に対応する凹部の形成と、凸部と凹部の嵌合とを共通の作業で行うので、光ディスク装置の製造時間を維持しつつ効率良くトレイカバーとトレイとの嵌合力を高めることができる。その結果、光ディスク装置の製造時間を維持しつつ効率良くトレイカバーとトレイとの嵌合力を高めるので、構成材料の厚みを薄くしたり、軽量材料を使用したりする薄型または軽量の光ディスク装置であっても、外部荷重が加わった際に発生するトレイとトレイカバーの嵌合ずれや、トレイへの光ディスク装着方向の衝撃などに起因するトレイとトレイカバーの位置ずれを防止でき、光ディスク装置の製造時間を増加させることなく、トレイが筐体内に収納困難になることを抑制することが可能な光ディスク装置の製造方法を実現することができる。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】